(57)【要約】【課題】組立前においてはコンパクトで場所をとらず、とりわけ組立作業が容易で、使用するシート面積が少ない組立式包装箱を提供する。【解決手段】両長側面がその内側に補強片の折り込まれた二重構造となっており、また上面の短辺に沿う両側に桟板が形成されていて、全体として上面が桟板を除き開放で、内部が略直方形を呈する組立式包装箱において、底面の長辺に沿う片側に折り込み線を介して連結片を形成し、この連結片をこれと相対する長側面の内側に接合して、予め筒形とした。【選択図】図４
0003127442.tif 000002
【実用新案登録請求の範囲】
【請求項１】
両長側面がその内側に補強片の折り込まれた二重構造となっており、また上面の短辺に沿う両側に桟板が形成されていて、全体として上面が桟板を除き開放で、内部が略直方形を呈する組立式包装箱において、底面の長辺に沿う片側に折り込み線を介して連結片が形成され、この連結片がこれと相対する長側面の内側に接合されて成ることを特徴とする組立式包装箱。
【請求項２】
上面の短辺に沿う両側の桟板が上面から両長側面の内側に補強片を折り込んだときに上面に残って形成されるものである請求項１記載の組立式包装箱。
【請求項３】
両長側面、その内側に折り込まれた補強片、両短側面、底面及び上面の短辺に沿う両側の桟板が１枚のシートから作製されたものである請求項１又は２記載の組立式包装箱。
【請求項４】
シートがダンボールである請求項３記載の組立式包装箱。
【考案の詳細な説明】
【技術分野】
【０００１】
本考案は組立式包装箱に関し、なかでも野菜や果実等を収容して保管、運搬及び陳列するのに便利な全体として上面が開放で内部が略直方形を呈する組立式包装箱に関する。
【背景技術】
【０００２】
従来、前記のような組立式包装箱として、１枚のシート、例えば１枚の厚紙やダンボールからこれらに施された折り込み線や切り込み線に沿って折り込むことにより組立てられたものが使用されている。かかる組立式包装箱は、内部に野菜や果実等を収容した状態で積み重ねるときに、それ自体が相応の強度を有して変形や崩壊を起こさないよう、また内部に収容されている野菜や果実等を傷めないよう、両長側面が二重構造となっており、しかも上面の短辺に沿う両側に桟板が形成されている（例えば特許文献１〜３参照）。
【０００３】
しかし、前記のような組立式包装箱には、折り込み線や切り込み線が複雑に施された１枚のシートから組立てるようになっているため、組立前の保管や運搬、更には組立作業に相応の場所をとり、とりわけ組立作業が面倒という問題がある。また従来の組立式包装箱には、長尺な補強片を外側から巻くように内側へ折り込んで両長側面を二重構造とし、更に両短側面から上面へ桟板を折り曲げると共にかかる桟板の差込片を両長側面の上端部に設けた切欠部へ係合して上面の短辺に沿う両側に桟板を形成するため、組立作業が誠に面倒であり、シート面積も相応に広く必要という問題がある。
【特許文献１】特開平７−２９１２６０号公報
【特許文献２】実用新案登録第３０７０７５７号公報
【特許文献３】実用新案登録第３０９６８０８号公報
【考案の開示】
【考案が解決しようとする課題】
【０００４】
本考案が解決しようとする課題は、従来のものに比べ、組立前においてはコンパクトで場所をとらず、とりわけ組立作業が容易で、使用するシート面積が少ない組立式包装箱を提供する処にある。
【課題を解決するための手段】
【０００５】
前記の課題を解決する本考案は、両長側面がその内側に補強片の折り込まれた二重構造となっており、また上面の短辺に沿う両側に桟板が形成されていて、全体として上面が桟板を除き開放で、内部が略直方形を呈する組立式包装箱において、底面の長辺に沿う片側に折り込み線を介して連結片が形成され、この連結片がこれと相対する長側面の内側に接合されて成ることを特徴とする組立式包装箱に係る。
【０００６】
本考案に係る組立式包装箱も、従来のものと同様、両長側面がその内側に補強片の折り込まれた二重構造となっており、また上面の短辺に沿う両側に桟板が形成されていて、全体として上面が桟板を除き開放で、内部が略直方形を呈している。本考案に係る組立式包装箱は、底面の長辺に沿う片側に折り込み線を介して連結片が形成され、この連結片がこれと相対する長側面の内側に接合されている。本考案に係る組立式包装箱は、組立前において扁平に折り畳まれており、それを立ち上げると、成り行きで上面、両長側面及び底面がいわば自動的に形成された断面長方形の筒形となる。したがって本考案に係る組立式包装箱は、従来のものに比べ、組立前においてはコンパクトで保管や運搬等にも場所をとらず、とりわけ組立作業が容易である。
【０００７】
本考案に係る組立式包装箱において、上面の短辺に沿う両側の桟板は、上面から両長側面の内側に補強片を折り込んだときに上面と残って形成されるものが好ましい。この場合、前記のように組立前において扁平に折り畳まれていたものを立ち上げたときに上面を形成していたものの一部が両長側面を二重構造とする補強片として使用され、残部が短辺に沿う両側の桟板となる。また本考案に係る組立式包装箱において、両長側面、その内側に折り込まれた補強片、両短側面、底面及び上面の短辺に沿う両側の桟板は１枚のシートから作製されたものが好ましく、かかるシートはダンボールが好ましい。このようにすると、組立作業は更に容易となり、使用するシート面積も少なくなる。
【考案の効果】
【０００８】
本考案に係る組立式包装箱によると、従来のものに比べ、組立前においてはコンパクトで場所をとらず、とりわけ組立作業が容易で、使用するシート面積が少ない。
【実施例】
【０００９】
図１は本考案に係る組立式包装箱の組立前のものについてそれを展開したシートの状態を示す平面図、図２は図１と同じ本考案に係る組立式包装箱の組立前における折り畳んだ状態を示す平面図、図３は図２の折り畳んだものを立ち上げた状態を示す斜視図、図４は図３の立ち上げたものを更に組立てた本考案に係る組立式包装箱を示す斜視図である。ここでは便宜上、組立前と組立後において共通するものは同じ記号及び名称を用いて説明する。
【００１０】
図１〜４において、１は上面、２，３は長側面、４は底面、５ａ〜５ｄ，６ａ〜６ｄは短側面５，６を形成することとなるフラップ、１１は連結片、１２，１３は補強片、１４，１５は桟板、２１〜２６は差込片、３１〜３６は切欠部を示しており、また実線は輪郭線を除き切り込み線、点線は折り込み線、点付け部は連結片１１の接合部を示している。図１の展開したシートにおいて、上面１の長辺に沿う両側に折り込み線を介して長側面２，３が形成されており、一方の長側面３の長辺に沿う片側に折り込み線を介して底面４が形成されていて、底面４の長辺に沿う片側に折り込み線を介して連結片１１が形成されている。また短側面５，６を形成することとなるフラップ５ａ〜５ｄ，６ａ〜６ｄは上面１、長側面２，３及び底面４の各短辺に沿う両側に折り込み線を介して形成されている。更に上面１には、切り込み線により長辺に沿う両側に補強片１２，１３と、残部として短辺に沿う両側に桟板１４，１５が形成されている。そして差込片２１，２２は長側面２，３と補強片１２，１３との間の折り込み線部に形成されており、差込片２３〜２６は補強片１２，１３の先端部に形成されていて、切欠部３１〜３６は底面４の長辺に沿う折り込み線部に形成されている。
【００１１】
図１の展開したシートにおける連結片１１をこれと相対する一方の長側面２の内側の点付け部に接合すると、図１のシートは図２の折り畳んだ状態になる。図２の折り畳んだものを立ち上げると、成り行きで図３に示すように上面１、両長側面２，３及び底面４がいわば自動的に形成された断面長方形の筒形のものになる。
【００１２】
図３の立ち上げた筒形のものについて、フラップ５ａ〜５ｄ，６ａ〜６ｄを折り込み線に沿って常法通り折り込み、相互を係合すると、両短側面５，６が形成される。また補強片１２，１３を折り込み線に沿って両長側面２，３の内側に折り込み、差込片２３，２４を切欠部３４，３６へ係合し、差込片２５，２６を切欠部３１，３３へ係合すると、両長側面２，３は二重構造となって補強される。上面１には結果として短辺に沿う両側に桟板１４，１５が残って形成される。以上により組立てられる図４の組立式包装箱は、全体として上面が桟板１４，１５を除き開放されており、内部が略直方形を呈するものとなる。尚、図４の差込片２１，２２は、上段に積まれる別の組立式包装箱の切欠部３２，３５に係合するもので、これらは位置決め片として機能すると同時に上下の組立式包装箱のずれを防止する。
【図面の簡単な説明】
【００１３】
【図１】本考案に係る組立式包装箱の組立前のものについてそれを展開したシートの状態を示す平面図。
【図２】図１と同じ本考案に係る組立式包装箱の組立前における折り畳んだ状態を示す平面図。
【図３】図２の折り畳んだものを立ち上げた状態を示す斜視図。
【図４】図３の立ち上げたものを更に組立てた本考案に係る組立式包装箱を示す斜視図。
【符号の説明】
【００１４】
１          上面
２，３      長側面
４          底面
５，６      短側面
１１        連結片
１２，１３  補強片
１４，１５  桟板
２１〜２６  差込片
３１〜３６  切欠部
【図１】
0003127442.tif 000003
【図２】
0003127442.tif 000004
【図３】
0003127442.tif 000005
【図４】
0003127442.tif 000006